(57)【要約】【課題】  カセット部と記録装置本体側との間に隙間である所謂、クリアランスによって給送が不安定となる虞がない給送装置を提供すること。【解決手段】  被記録媒体（Ｐ）が内部に載置されるカセット部１５０が、給送装置本体（１４４）に着脱可能に構成され、給送装置（１４４）は、前記カセット部１５０が給送装置本体に取り付けられる際、前記カセット部１５０を案内するカセット案内面２１２と、前記カセット部１５０を案内する規制部２１５と、前記カセット案内面２１２から突出および退避移動可能な移動部１８０と、該移動部１８０を給送ローラ（２９０）側に付勢する第２付勢手段（１７０）と、を有することを特徴とする。【選択図】図４
2008239322.tif 000002
【特許請求の範囲】
【請求項１】
被記録媒体が内部に載置され、給送装置本体に着脱可能なカセット部と、
該カセット部内の被記録媒体を給送可能な給送ローラと、
前記カセット部内の被記録媒体および前記給送ローラの一方を付勢することにより、前記カセット部内の被記録媒体と前記給送ローラとの間の距離を接近させる第１付勢手段と、
前記カセット部が前記給送ローラから離間する方向へ移動することを規制するカセット案内面と、
前記カセット部が前記給送ローラに接近する方向へ移動することを規制する規制部と、
前記カセット部に対して接離移動可能な移動部と、
該移動部を前記接離移動の方向において前記第１付勢手段と同じ向きに付勢する第２付勢手段と、を備え、
前記カセット部が給送装置本体に取り付けられた状態のとき、前記移動部は、前記カセット部を付勢する構成である給送装置。
【請求項２】
請求項１に記載の給送装置において、
前記カセット部は、
カセット筐体本体部と、
前記第１付勢手段と当接し、前記給送ローラに対して接離移動可能なカセットホッパと、を有し、
給送装置本体側の前記移動部は、
前記カセット筐体本体部と当接する構成である給送装置。
【請求項３】
請求項１または２に記載の給送装置において、前記移動部は、前記カセット部が給送装置本体に取り付けられる際の該カセット部が案内される方向において、該移動部の上流側を支点に揺動する構成である給送装置。
【請求項４】
請求項１乃至３のいずれか１項に記載の給送装置において、前記移動部は、載置される被記録媒体の幅方向に一対設けられ、前記カセット案内面に直に載置された被記録媒体の幅方向の位置を規制するエッジガイドを兼ねる構成である給送装置。
【請求項５】
請求項４に記載の給送装置において、一対の前記エッジガイドの内側面において、前記カセット部が給送装置本体に取り付けられる際の該カセット部が案内される方向の上流側が前記幅方向外側へ傾斜する傾斜部を有する給送装置。
【請求項６】
載置された被記録媒体を給送する給送部と、
該給送部から給送された被記録媒体に記録ヘッドにより記録を実行する記録部と、を備えた記録装置であって、
前記給送部は、請求項１乃至５のいずれか１項に記載された前記給送装置を備えた記録装置。
【請求項７】
載置された被液体噴射媒体を給送する給送部と、
該給送部から給送された被液体噴射媒体に液体を噴射する液体噴射部と、を備えた液体噴射装置であって、
前記給送部は、
被液体噴射媒体が内部に載置され、前記液体噴射装置本体に着脱可能なカセット部と、
該カセット部内の被液体噴射媒体を給送可能な給送ローラと、
前記カセット部内の被液体噴射媒体および前記給送ローラの一方を付勢することにより、前記カセット部内の被液体噴射媒体と前記給送ローラとの間の距離を接近させる第１付勢手段と、
前記カセット部が前記給送ローラから離間する方向へ移動することを規制するカセット案内面と、
前記カセット部が前記給送ローラに接近する方向へ移動することを規制する規制部と、
前記カセット部に対して接離移動可能な移動部と、
該移動部を前記接離移動の方向において前記第１付勢手段と同じ向きに付勢する第２付勢手段と、を備え、
前記カセット部が液体噴射装置本体に取り付けられた状態のとき、前記移動部は、前記カセット部を付勢する構成である液体噴射装置。
【発明の詳細な説明】
【技術分野】
【０００１】
本発明は、被記録媒体が内部に載置され、給送装置本体に着脱可能なカセット部と、該カセット部内の被記録媒体を給送可能な給送ローラと、付勢することにより被記録媒体と前記給送ローラとの間の距離を接近させる第１付勢手段と、を備えた給送装置、該給送装置を備えた記録装置および液体噴射装置に関する。
【０００２】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。  
また、記録装置には、インクジェットプリンタ、ワイヤドットプリンタ、レーザープリンタ、ラインプリンタ、複写機、ファクシミリ等の種類が含まれるものとする。
【背景技術】
【０００３】
従来の液体噴射装置の一例である記録装置は、特許文献１または２に示す如く、記録装置本体に対して着脱可能なカセットを有していた。ここで、記録装置本体とは、記録装置からカセットを除いたものをいう。そして、該カセットは、前記記録装置本体側に取り付けられた状態において、前記記録装置本体側に設けられた給送ローラに対して接離移動可能なホッパ板を有している。
【０００４】
該ホッパ板は、前記記録装置本体側に設けられた作用部の一例であるホッパ押し上げカムによって前記給送ローラに対して接近移動する。所謂、ホッパアップである。そして、前記ホッパ押し上げカムが回動退避すると、前記ホッパ板は、該ホッパ板および載置された用紙の自重によって前記給送ローラに対して離間移動する。所謂、ホッパダウンである。  
そして、ホッパアップおよびホッパダウンを繰り返すことで、給送ローラは、用紙を一枚ずつ給送方向下流側へ給送することができる。
【特許文献１】特開２００６−２３２５５２号公報
【特許文献２】特開２００６−２３２５１９号公報
【発明の開示】
【発明が解決しようとする課題】
【０００５】
しかしながら、前記カセットを前記記録装置本体に対してスムーズに着脱するためには、前記カセットと前記記録装置本体側との間に隙間である所謂、クリアランスと設ける必要がある。そして、クリアランスと設けると、ホッパアップおよびホッパダウンが切り替わる際、前記カセットに作用する力の向きが切り替わる。  
具体的には、ホッパアップに切り替わる際は、前記カセットに用紙等の自重が前記給送ローラから離間する方向へ作用した状態から、前記カセットに前記ホッパ押し上げカムが前記給送ローラへ接近する方向へ作用する状態となる。このとき、クリアランスが設けられている分、前記カセットの姿勢が不安定となり、該姿勢が変化する虞が生じる。  
係る場合、最上位に載置された用紙と前記給送ローラとの接触が不安定となり、給送が不安定となる虞が生じる。
【０００６】
本発明は、このような状況に鑑み成されたものであり、その課題は、カセット部と記録装置本体側との間に隙間である所謂、クリアランスによって給送が不安定となる虞がない給送装置、該給送装置を備えた記録装置および液体噴射装置を提供することである。
【課題を解決するための手段】
【０００７】
上記課題を達成するため、本発明の第１の態様の給送装置は、被記録媒体が内部に載置され、給送装置本体に着脱可能なカセット部と、該カセット部内の被記録媒体を給送可能な給送ローラと、前記カセット部内の被記録媒体および前記給送ローラの一方を付勢することにより、前記カセット部内の被記録媒体と前記給送ローラとの間の距離を接近させる第１付勢手段と、前記カセット部が前記給送ローラから離間する方向へ移動することを規制するカセット案内面と、前記カセット部が前記給送ローラに接近する方向へ移動することを規制する規制部と、前記カセット部に対して接離移動可能な移動部と、該移動部を前記接離移動の方向において前記第１付勢手段と同じ向きに付勢する第２付勢手段と、を備え、前記カセット部が給送装置本体に取り付けられた状態のとき、前記移動部は、前記カセット部を付勢する構成であることを特徴とする。
【０００８】
本発明の第１の態様によれば、前記給送装置は、前記カセット部に対して接離移動可能な移動部と、該移動部を前記接離移動の方向において前記第１付勢手段と同じ向きに付勢する第２付勢手段と、を備え、前記カセット部が給送装置本体に取り付けられた状態のとき、前記移動部は、前記カセット部を付勢する構成である。従って、該構成は、前記カセット部が前記給送装置本体に取り付けられた状態において、前記カセット部を前記規制部および前記カセット案内面の一方と常に当接させることができる。そして、該カセット部の姿勢および位置を安定させることができる。その結果、被記録媒体の給送を安定させることができる。
【０００９】
具体的に説明すると、前記第１付勢手段が被記録媒体を付勢する構成の場合、前記第１付勢手段によって被記録媒体が前記給送ローラに対して離間移動した状態である所謂、ホッパダウン状態では、前記カセット部に対して前記移動部を介して前記第２付勢手段の付勢力が作用する。即ち、前記移動部は、前記カセット部を前記規制部へ付勢する。また、前記第１付勢手段によって被記録媒体が前記給送ローラに対して接近移動した状態である所謂、ホッパアップ状態では、前記カセット部に対して前記第１付勢手段および前記第２付勢手段の付勢力が作用する。
【００１０】
このとき、前記第１付勢手段の付勢方向は、前記第２付勢手段の付勢方向と同じ方向である。即ち、前記カセット部に作用する力の向きは変化しない。従って、ホッパダウン状態からホッパアップ状態へ、またはその逆の状態へ変化した場合であっても、前記カセット部を常に前記規制部と当接させて前記カセット部の姿勢を安定させることができる。即ち、前記変化した場合に所謂、ガタ移動が生じる虞がない。その結果、ホッパアップの際、被記録媒体と給送ローラとの接触を安定させ、給送を安定させることができる。
【００１１】
一方、前記第１付勢手段が前記給送ローラを付勢する構成の場合、前記第１付勢手段によって前記給送ローラが被記録媒体に対して離間移動した状態では、前記カセット部に対して前記移動部を介して前記第２付勢手段が作用する。即ち、前記移動部は、前記カセット部を前記カセット案内面へ付勢する。また、前記第１付勢手段によって前記給送ローラが被記録媒体に対して接近し当接した状態である所謂、ピックアップ状態では、前記カセット部に対して前記第１付勢手段および前記第２付勢手段の付勢力が作用する。  
このとき、前記第１付勢手段の付勢方向は、前記第２付勢手段の付勢方向と同じ方向である。即ち、前記カセット部に作用する力の向きは変化しない。従って、前記カセット部を、常に前記カセット案内面と当接させて前記カセット部の姿勢を安定させることができる。
【００１２】
本発明の第２の態様は、第１の態様において、前記カセット部は、カセット筐体本体部と、前記第１付勢手段と当接し、前記給送ローラに対して接離移動可能なカセットホッパと、を有し、給送装置本体側の前記移動部は、前記カセット筐体本体部と当接する構成であることを特徴とする。
【００１３】
本発明の第２の態様によれば、第１の態様と同様の作用効果に加え、前記カセット部が給送装置本体に取り付けられた状態のとき、給送装置本体側の前記移動部は、前記カセット筐体本体部と当接する構成である。即ち、前記移動部は、前記カセットホッパと当接しない構成である。従って、前記第２付勢手段の付勢力が、前記カセットホッパの前記接離移動に影響を与える虞がない。その結果、前記ホッパダウンする際、前記カセットホッパを確実に前記給送ローラに対して離間移動させることができる。
【００１４】
本発明の第３の態様は、第１または第２の態様において、前記移動部は、前記カセット部が給送装置本体に取り付けられる際の該カセット部が案内される方向において、該移動部の上流側を支点に揺動する構成であることを特徴とする。  
本発明の第３の態様によれば、第１または第２の態様と同様の作用効果に加え、前記移動部は、前記カセット部が給送装置本体に取り付けられる際の該カセット部が案内される方向において、該移動部の上流側を支点に揺動する構成である。従って、ユーザは、前記カセット部を前記給送装置本体に取り付ける際、前記第２付勢手段の付勢力に抗して前記移動部を徐々に退避移動させることができる。その結果、ユーザは、容易に前記カセット部を前記給送装置本体に取り付けることができる。  
また、ユーザが、前記カセット部を前記給送装置本体から取り外す際、前記第２付勢手段の付勢力によって前記移動部を徐々に突出させることができる。このとき、ユーザは、前記第２付勢手段の付勢力を利用しながら、前記カセット部を前記給送装置本体から取り外すことができる。
【００１５】
本発明の第４の態様は、第１から第３のいずれか一の態様において、前記移動部は、載置される被記録媒体の幅方向に一対設けられ、前記カセット案内面に直に載置された被記録媒体の幅方向の位置を規制するエッジガイドを兼ねる構成であることを特徴とする。  
本発明の第４の態様によれば、第１から第３のいずれか一の態様と同様の作用効果に加え、前記移動部は、前記エッジガイドを兼ねる構成である。従って、前記カセット部を用いない場合であっても、被記録媒体を前記カセット案内面に直に載置セットすることによって、被記録媒体を給送することができる。  
例えば、ハガキ等の販売元が限られているため、該ハガキ等の被記録媒体を、使い捨てのカセット部に予め装填することができない場合がある。係る場合、該ハガキ等の被記録媒体を、前記カセット案内面に直に載置セットすることができ、前記構成は非常に有効である。
【００１６】
本発明の第５の態様は、第４の態様において、一対の前記エッジガイドの内側面において、前記カセット部が給送装置本体に取り付けられる際の該カセット部が案内される方向の上流側が前記幅方向外側へ傾斜する傾斜部を有することを特徴とする。  
本発明の第５の態様によれば、第４の態様と同様の作用効果に加え、一対の前記エッジガイドの内側面において、前記カセット部が給送装置本体に取り付けられる際の該カセット部が案内される方向の上流側が前記幅方向外側へ傾斜する傾斜部を有する。前記カセット部を用いずに、被記録媒体を直に前記カセット案内面に載置する場合、ユーザは、前記カセット部を給送装置本体に取り付ける際の該カセット部が案内される方向と同じ方向に、被記録媒体を移動させて載置セットする。この際、被記録媒体は前記上流側から前記傾斜部に案内されるので、ユーザは、記録媒体を容易に、かつ、位置精度良く載置セットすることができる。
【００１７】
本発明の第６の態様の記録装置は、載置された被記録媒体を給送する給送部と、該給送部から給送された被記録媒体に記録ヘッドにより記録を実行する記録部と、を備えた記録装置であって、前記給送部は、上記第１から第５のいずれかの前記給送装置を備えていることを特徴とする。  
本発明の第６の態様によれば、前記給送部は、上記第１から第５のいずれかの態様の前記給送装置を備えている。従って、記録装置において、上記第１から第５のいずれかの態様と同様の作用効果を得ることができる。
【００１８】
本発明の第７の態様の液体噴射装置は、載置された被液体噴射媒体を給送する給送部と、
該給送部から給送された被液体噴射媒体に液体を噴射する液体噴射部と、を備えた液体噴射装置であって、前記給送部は、被液体噴射媒体が内部に載置され、前記液体噴射装置本体に着脱可能なカセット部と、該カセット部内の被液体噴射媒体を給送可能な給送ローラと、前記カセット部内の被液体噴射媒体を前記給送ローラ側に付勢する第１付勢手段と、前記カセット部が前記給送ローラから離間する方向へ移動することを規制するカセット案内面と、前記カセット部が前記給送ローラに接近する方向へ移動することを規制する規制部と、前記カセット案内面側から前記給送ローラ側へ突出および退避移動可能な移動部と、該移動部を前記給送ローラ側に付勢する第２付勢手段と、備え、前記カセット部が液体噴射装置本体に取り付けられた状態のとき、前記移動部は、前記カセット部を前記規制部側へ付勢する構成であることを特徴とする。
【発明を実施するための最良の形態】
【００１９】
以下、本発明の実施の形態を図面に基づいて説明する。  
図１に示すのは、本発明に係る液体噴射装置の一例である記録装置の概略を示す全体斜視図である。また、図２に示すのは、本発明に係る記録装置の概略を示す全体平面図である。  
記録装置１００の本体の背面側には、被記録媒体としての用紙Ｐが載置・積層される給送部１４４および載置部１４５としてのカセット部１５０が記録装置本体１０１に装着されている。そして、カセット部１５０の内部には、カセットホッパ１６１が、給送部１４４の後述する給送ローラ２９０（図３、図８〜図１１参照）に対して接離移動可能に設けられている。具体的には、カセットホッパ１６１は、載置される用紙Ｐの幅方向Ｘに一対、カセットホッパ１６１の上方に設けられた支点軸１６２、１６２（図８参照）を支点に揺動するように設けられている。
【００２０】
そして、カセットホッパ１６１の最上位に載置された用紙Ｐは、給送部１４４によって、搬送方向下流側である記録部側へ給送される。具体的には、載置された用紙Ｐは、給送用モータ１０４によって駆動する給送ローラ２９０（図３、図８〜図１１参照）により、左右の用紙ガイド１０３、１０３に案内されながら搬送方向の下流側の搬送ローラ対３００（図８〜図１０参照）へと給送される。搬送ローラ対３００（図８〜図１０参照）まで給送された用紙Ｐは、搬送用モータ（図示せず）によって駆動する搬送ローラ対３００（図８〜図１０参照）により、さらに搬送方向の下流側の記録部１４３へと搬送される。
【００２１】
記録部１４３は、用紙Ｐを下方から支持するプラテン１０５と、プラテン１０５の上方に対向するように設けられたキャリッジ１０７とによって構成される。そのうち、キャリッジ１０７は、搬送される用紙Ｐの幅方向Ｘである主走査方向へ延びたキャリッジガイド軸（図示せず）に案内されながらキャリッジモータ１０２によって駆動する。さらに、キャリッジ１０７の底面部には、用紙Ｐへ向かってインクを吐出する記録ヘッド１０６が設けられている。記録部１４３で記録された用紙Ｐは、さらに下流側へと搬送され排紙ローラ（図示せず）によって記録装置１００の正面側から排出される。
【００２２】
また、記録装置１００の本体の下方には、インクカートリッジ（図示せず）が装填され、インク供給針（図示せず）を介してインク供給路（図示せず）へとインクが供給される。さらに、インクは、インク供給チューブ１１０を介してキャリッジ１０７の記録ヘッド１０６まで供給される。そして、記録ヘッド１０６のフラッシング時、およびクリーニング時には、１桁側に設けられ、記録部１４３の吐出特性を維持する吐出特性維持部としてのインク吸引装置２００においてインクの吐出・吸引動作が行われる。インク吸引装置２００は、キャップ部２０４を備え、キャップ部２０４を上下方向へ移動させて記録ヘッド１０６を封止することができるように構成されている。
【００２３】
図３に示すのは、給送部のカセット案内面および移動部を示す正面図である。また、図４に示すのは、図３の前方斜視図である。またさらに、図５に示すのは、図３の後方斜視図である。尚、図３から図５はカセット部が取り付けられていない状態である。  
図３から図５に示す如く、給送部１４４の基体部２１０には、カセット案内面２１２と、基体開口部１５４と、一対の案内開口部２１３、２１３と、度当て部２１１と、一対の規制部２１５、２１５と、一対のばね係止部２１４、２１４と、が形成されている。
【００２４】
このうち、カセット案内面２１２は、カセット部１５０が記録装置本体１０１に取り付けられる際、カセット部１５０が給送ローラ２９０から離間する方向へ移動することを規制しながら、カセット部１５０を案内することができるように設けられている。  
また、基体開口部１５４は、後述する押圧部２３４が挿通して基体部２１０のカセット案内面２１２に対して突出および退避することができるように設けられている。
【００２５】
またさらに、案内開口部２１３、２１３は、カセット案内面２１２の幅方向Ｘに一対設けられ、後述する移動部１８０がカセット案内面２１２に対して突出および退避することができるように設けられている。  
また、度当て部２１１は、カセット部１５０が記録装置本体１０１に取り付けられたとき、取り付け方向Ｙにおいて、カセット部１５０の下方と度当たるように設けられている。
【００２６】
規制部２１５、２１５は、基体部２１０において用紙Ｐの幅方向Ｘに一対設けられ、カセット部１５０が記録装置本体１０１に取り付けられる際、カセット部１５０が給送ローラ２９０に接近する方向Ｚへ移動することを規制しながら、カセット部１５０を案内することができるように設けられている。さらに、カセット部１５０を取り付けた状態において、カセット部１５０が給送ローラ２９０に接近する方向Ｚへ移動することを規制することができるように設けられている。  
また、ばね係止部２１４、２１４は、基体部２１０において用紙Ｐの幅方向Ｘに一対設けられ、ねじりコイルばね１７０を係止するように形成されている。
【００２７】
一方、移動部１８０には、用紙Ｐの幅方向Ｘに一対のフック部１８１、１８１と、一対のエッジガイド１８２、１８２と、背面部１８６と、突条１８７と、が形成されている。  
このうち、一対のフック部１８１、１８１は、移動部１８０の上方に形成され、基体部２１０におけるカセット案内面２１２の上方、即ち、カセット部１５０が取り付けられる際の取り付け方向Ｙの上流側に係合するように設けられている。そして、移動部１８０は、一対のフック部１８１、１８１が係合した箇所を支点に揺動するように構成されている。  
尚、エッジガイド１８２、１８２は、カセット部１５０の設けられた前述した用紙ガイド１０３、１０３（図１および図２参照）とは別部材である。即ち、エッジガイド１８２、１８２は、カセット部１５０ではなく、記録装置本体側に設けられている。
【００２８】
また、一対のエッジガイド１８２、１８２は、基体部２１０の一対の案内開口部２１３、２１３を介して、カセット案内面２１２に対して突出および退避するように設けられている。  
またさらに、一対のエッジガイド１８２、１８２は、内側面１８３、１８３におけるカセット部１５０が取り付けられる際の取り付け方向Ｙの上流側に傾斜部１８４、１８４と、カセット部１５０のカセット筐体本体部１５１と当接可能な案内部１８５、１８５と、を有する。傾斜部１８４、１８４は、上流にいくに従って徐々に外側へ広がるように傾斜している。また、案内部１８５、１８５は、カセット案内面２１２から突出した状態において、前記取り付け方向Ｙの下流側にいくに従って徐々に突出するように形成されている。
【００２９】
背面部１８６は、平坦に設けられている。そして、背面部１８６は、揺動支点の軸方向と同じ方向に延設された突条１８７を有している。  
また、ねじりコイルばね１７０は、突条１８７と同じ方向に延設された係合部１７１を有している。ねじりコイルばね１７０は、図４および図５においてばね係止部２１４、２１４を支点に反時計方向へ付勢力を発生させるように構成されている。
【００３０】
そして、ねじりコイルばね１７０の係合部１７１が、移動部１８０の背面部１８６の突条１８７の近傍であってフック部側を付勢するように構成されている。  
従って、カセット部１５０が記録装置本体１０１から取り外された状態では、移動部１８０の一対のエッジガイド１８２、１８２は、カセット案内面２１２から突出する。また、一対のフック部１８１、１８１と基体部２１０との係合が外れる虞がない。
【００３１】
尚、移動部１８０の一対のエッジガイド１８２、１８２がカセット案内面２１２に対して退避した状態から突出するように移動する際、係合部１７１は、背面部１８６において突条１８７よりもフック部側の箇所を付勢し、移動部１８０が徐々に前記反時計方向へ揺動するに従って、前記箇所が突条１８７へ接近する。そして、係合部１７１が突条１８７と接触したとき、移動部１８０の前記反時計方向へ揺動が規制される。
【００３２】
即ち、一対のエッジガイド１８２、１８２の位置は、ねじりコイルばね１７０の係合部１７１と移動部１８０の突条１８７との係合によって決められるように構成されている。また、後述するように一対のエッジガイド１８２、１８２をカセット案内面２１２に対して退避するように移動する際、係合部１７１は、突条１８７から徐々に離間する（図７参照）。
【００３３】
図６に示すのは、図４にカセット部を取り付けた状態を示す前方斜視図である。また、図７に示すのは、図５にカセット部を取り付けた状態を示す後方斜視図である。  
図６および図７に示す如く、カセット部１５０を記録装置本体１０１に取り付ける際、カセット部１５０は、カセット案内面２１２と、一対の規制部２１５、２１５とに案内されながら、取り付け方向Ｙの下流側へ移動する。そして、カセット部１５０の下方が、移動部１８０の一対のエッジガイド１８２、１８２の案内部１８５、１８５と当接し、一対のエッジガイド１８２、１８２をカセット案内面２１２に対して退避するように徐々に押し下げる。具体的には、カセット部１５０は、移動部１８０を、図６および図７において一対のフック部１８１、１８１と基体部２１０との係合箇所を支点に時計方向へ徐々に揺動させる。
【００３４】
即ち、カセット部１５０を取り付ける際、一対のエッジガイド１８２、１８２は、滑らかに退避移動することができる。そして、カセット部１５０の下方が基体部２１０の度当て部２１１と度当たることにより、カセット部１５０が停止する。即ち、カセット部１５０の取り付け完了である。  
以上のように、ユーザは、容易にカセット部１５０を記録装置本体１０１に取り付けることができる。
【００３５】
また、カセット部１５０を記録装置本体１０１に取り付けた状態では、ねじりコイルばね１７０の付勢力が、一対のエッジガイド１８２、１８２の案内部１８５、１８５を介して、カセット筐体本体部１５１を一対の規制部２１５、２１５に押し付けている状態となる。従って、給送部１４４は、カセット部１５０の位置および姿勢を精度良く決めることができる。
【００３６】
図８に示すのは、給送部およびカセット部の概略を示す全体側面図である。また、図９に示すのは、カセットホッパのホッパダウン状態を示す概略側面図である。またさらに、図１０に示すのは、カセットホッパのホッパアップ状態を示す概略側面図である。  
図８から図１０に示す如く、ねじりコイルばね１７０により案内部１８５、１８５が、カセット筐体本体部１５１を給送ローラ側である規制部側へ付勢している。従って、カセット部１５０は、一対の規制部２１５、２１５によって位置および姿勢が規制された状態となる。
【００３７】
記録装置本体側には、ホッパレバー軸２３３を支点にホッパレバー２３２が、給送ローラ２９０に対して接離方向へ揺動するように設けられている。そして、ホッパレバー２３２の先端には、押圧部２３４が回動自在に設けられている。さらに、基体部２１０に設けられたホッパばね２３６の付勢力を受けて押圧部２３４が、カセットホッパ１６１を給送ローラ側へ接近移動させる所謂、ホッパアップができるように構成されている。
【００３８】
このとき、押圧部２３４は、カセットホッパ１６１に形成されたカセットホッパ開口部１６３を介して用紙Ｐと直に接触し、用紙Ｐを給送ローラ２９０に接近する方向Ｚへ移動させるように構成されている。  
また、給送ローラ２９０が回転する動力をホッパレバー軸２３３へ伝達するギア機構（図示せず）が設けられている。そして、ギア機構（図示せず）が、押圧部２３４およびカセットホッパ１６１を給送ローラ２９０に対して離間する方向へ移動させる所謂、ホッパダウンができるように構成されている。
【００３９】
本実施形態の記録装置１００において、ホッパばね２３６により押圧部２３４がカセットホッパ１６１を付勢する方向Ｚと、ねじりコイルばね１７０により案内部１８５、１８５がカセット筐体本体部１５１を付勢する方向Ｚとは、同じであるように構成されている。そして、図９に示すホッパダウン状態および図１０に示すホッパアップ状態において、カセット部１５０は、一対の規制部２１５、２１５によって位置および姿勢が規制されている。
【００４０】
従って、図９に示すホッパダウン状態から図１０に示すホッパアップ状態に変化した場合であっても、カセット部１５０の姿勢が変化する虞がない。即ち、給送ローラ２９０が用紙Ｐを給送する際、用紙Ｐと給送ローラ２９０との接触状態を、給送毎に安定させることができる。その結果、給送ローラ２９０が用紙Ｐを給送する送り量のバラツキを低減することができ、良好な記録を実行することができる。
【００４１】
また、図１０に示すホッパアップ状態から図９に示すホッパダウン状態に変化した場合であっても、カセット部１５０の姿勢が変化する虞がない。従って、給送中の用紙Ｐに生じる所謂、バックテンションを安定させることも可能である。その結果、良好な記録を実行することができる。  
尚、本実施形態では、押圧部２３４が、カセットホッパと一体となって用紙Ｐを押圧し給送ローラ２９０に接近する方向Ｚへ移動させるように構成したが該構成に限られない。即ち、カセットホッパがカセット筐体本体部１５１に対して固定され、押圧部２３４のみが、カセットホッパ開口部１６３を介して用紙Ｐを給送ローラ２９０に接近する方向Ｚへ移動させるように構成してもよい。  
図１１に示すのは、移動部がエッジガイドとして作用する様子を示す正面図である。  
図１１に示す如く、カセット部１５０を記録装置本体１０１に取り付けていない状態において、ユーザは、所定サイズの用紙Ｐ１をカセット案内面２１２に載置セットすることができる。このとき、移動部１８０のエッジガイド１８２、１８２は、内側面１８３、１８３で所定サイズの用紙Ｐ１の両側端を規制することができる。
【００４２】
また、エッジガイド１８２、１８２の内側面１８３、１８３におけるカセット部取り付け方向Ｙの上流側である図中上方には、傾斜部１８４、１８４が設けられている。ここで、傾斜部１８４、１８４は、図中上方が広がるように内側面１８３、１８３に対して傾斜するように設けられている。従って、ユーザが所定サイズの用紙Ｐ１をカセット案内面２１２に載置セットする際、所定サイズの用紙Ｐ１が傾斜部１８４、１８４に案内されながら所定サイズの用紙Ｐ１を載置セットすることができる。即ち、ユーザは、容易に所定の位置に所定サイズの用紙Ｐ１を載置セットすることができる。
【００４３】
本実施形態の給送装置である給送部１４４は、被記録媒体の一例である用紙Ｐが内部に載置され、給送装置本体（記録装置本体１０１）に着脱可能なカセット部１５０と、カセット部内の用紙Ｐを給送可能な給送ローラ２９０と、カセット部内の用紙Ｐおよび給送ローラ２９０の一方を付勢することにより、カセット部内の用紙Ｐと給送ローラ２９０との間の距離を接近させる第１付勢手段の一例である押圧部２３４、ホッパレバー２３２およびホッパばね２３６と、カセット部１５０が給送ローラ２９０から離間する方向へ移動することを規制するカセット案内面２１２と、カセット部１５０が給送ローラ２９０に接近する方向Ｚへ移動することを規制する規制部２１５、２１５と、カセット部１５０に対して接離移動可能な移動部１８０と、移動部１８０を前記接離移動の方向Ｚにおいて第１付勢手段のホッパばね２３６と同じ向きに付勢する第２付勢手段の一例であるねじりコイルばね１７０と、備え、カセット部１５０が給送装置本体（記録装置本体１０１）に取り付けられた状態のとき、移動部１８０は、カセット部１５０を規制部側へ付勢する構成であることを特徴とする。
【００４４】
ここで、給送部１４４は、基体部２１０と、給送ローラ２９０と、押圧部２３４と、ホッパレバー２３２と、ホッパばね２３６と、前述したギア機構（図示せず）と、から構成されている。  
また、本実施形態において、カセット部１５０は、カセット筐体本体部１５１と、押圧部２３４およびホッパレバー２３２と当接し、給送ローラ２９０に対して接離移動可能なカセットホッパ１６１と、を有し、給送部本体側の移動部１８０は、カセット筐体本体部１５１と当接する構成であることを特徴とする。
【００４５】
またさらに、本実施形態において、移動部１８０は、カセット部１５０が給送部本体（記録装置本体１０１）に取り付けられる際のカセット部１５０が案内される方向Ｙにおいて、移動部１８０の上流側を支点に揺動する構成であることを特徴とする。  
本実施形態において、移動部１８０は、載置される用紙Ｐの幅方向Ｘに一対設けられ、カセット案内面２１２に直に載置された所定サイズの用紙Ｐ１の幅方向Ｘの位置を規制するエッジガイド１８２、１８２を兼ねる構成であることを特徴とする。
【００４６】
また、本実施形態の移動部１８０は、一対のエッジガイド１８２、１８２の内側面１８３、１８３において、カセット部１５０が給送部本体（記録装置本体１０１）に取り付けられる際のカセット部１５０が案内される方向Ｙの上流側が前記幅方向外側へ傾斜する傾斜部１８４、１８４を有することを特徴とする。  
本実施形態の記録装置１００は、載置された用紙Ｐを給送する給送部１４４と、給送部１４４から給送された用紙Ｐに記録ヘッド１０６により記録を実行する記録部１４３と、を備えていることを特徴とする。
【００４７】
尚、上記カセット案内面と規制部とを一本のレール状に一体形成してもよい。係る場合、給送ローラを基準としたときのカセット案内面と規制部との位置関係が逆になる。即ち、規制部が、給送ローラに対して、カセット案内面より近い位置構成となる。  
また、本発明は上記実施例に限定されることなく、特許請求の範囲に記載した発明の範囲内で、種々の変形が可能であり、それらも本発明の範囲内に含まれるものであることは言うまでもない。  
またさらに、上記実施例では、ホッパを給送ローラへ接近させて用紙をピックアップし給送する構成としたが、給送ローラが用紙へ接近して用紙をピックアップする構成でもよい。即ち、給送ローラが用紙に対して接離移動する構成でもよい。
【図面の簡単な説明】
【００４８】
【図１】本発明に係る記録装置の概略を示す全体斜視図。
【図２】本発明に係る記録装置の概略を示す全体平面図。
【図３】給送部のカセット案内面および移動部を示す正面図。
【図４】給送部のカセット案内面および移動部を示す前方斜視図。
【図５】給送部のカセット案内面および移動部を示す後方斜視図。
【図６】図４にカセット部を取り付けた状態を示す前方斜視図。
【図７】図５にカセット部を取り付けた状態を示す後方斜視図。
【図８】給送部およびカセット部の概略を示す全体側面図。
【図９】カセットホッパのホッパダウン状態を示す概略側面図。
【図１０】カセットホッパのホッパアップ状態を示す概略側面図。
【図１１】移動部がエッジガイドとして作用する状態を示す正面図。
【符号の説明】
【００４９】
１００  記録装置、１０１  記録装置本体、１０２  キャリッジモータ、
１０３  用紙ガイド、１０４  給送用モータ、１０５  プラテン、１０６  記録ヘッド、
１０７  キャリッジ、１１０  インク供給チューブ、１４３  記録部、１４４  給送部、
１４５  載置部、１５０  カセット部  １５１  カセット筐体本体部、
１５４  基体開口部、１６１  カセットホッパ、１６２  支点軸、
１６３  カセットホッパ開口部、１７０  ねじりコイルばね（第２付勢手段）、
１７１  係合部、１８０  移動部、１８１  フック部、１８２  エッジガイド、
１８３  内側面、１８４  傾斜部、１８５  案内部、１８６  背面部、１８７  突条、
２００  インク吸引装置、２０４  キャップ部、２１０  基体部、２１１  度当て部、
２１２  カセット案内面、２１３  案内開口部、２１４  ばね係止部、２１５  規制部、
２３２  ホッパレバー、２３３  ホッパレバー軸、２３４  押圧部、
２３６  ホッパばね（第１付勢手段）、２９０  給送ローラ、３００  搬送ローラ対、
Ｐ  用紙、Ｐ１  所定サイズの用紙、Ｘ  用紙幅方向、
Ｙ  カセット部取り付け方向（給送方向）、Ｚ  ホッパアップの方向
【図１】
2008239322.tif 000003
【図２】
2008239322.tif 000004
【図３】
2008239322.tif 000005
【図４】
2008239322.tif 000006
【図５】
2008239322.tif 000007
【図６】
2008239322.tif 000008
【図７】
2008239322.tif 000009
【図８】
2008239322.tif 000010
【図９】
2008239322.tif 000011
【図１０】
2008239322.tif 000012
【図１１】
2008239322.tif 000013